(57)【要約】【課題】誰でも簡単にリフォームすることができる木材パネルを提供することを課題とする。【解決手段】  木材パネル１は、壁面、天井面、床面である既存パネル上となる設置面に接着剤を介して使用される木材パネルにおいて、前記木材パネルは、前記既存パネルの面積内で１対３の比率となるように長方形に形成され、その長方形のパネル正面における四周の角を所定角度で面取りした面取り部２を備え、前記面取り部は、パネル正面を基準面としたとき、その基準面に対して傾斜角度を８０度から１０度の範囲で形成した。【選択図】図１
2007315153.tif 000002
【特許請求の範囲】
【請求項１】
壁面、天井面、床面でかつ１対２の比率となる既存パネル上に接着剤を介して設置される木材パネルにおいて、
前記木材パネルは、前記既存パネルの面積内に収納される大きさで１対３の比率で、かつ、９０の約数となる寸法で長方形に形成され、その長方形のパネル正面における四周の角を所定角度で面取りした面取り部を備え、
前記面取り部は、パネル正面を基準面としたとき、その基準面に対して傾斜角度を８０度から１０度の範囲で形成したことを特徴とする木材パネル。
【請求項２】
壁面、天井面、床面でかつ１対２の比率となる既存パネル上に接着剤を介して設置される木材パネルにおいて、
前記木材パネルは、第１パネルと第２パネルとを備え、前記第１パネルが、前記既存パネルの面積内に収納される大きさで１対３の比率で、かつ、９０の約数となる寸法で長方形に形成され、その長方形のパネル正面における四周の角を所定角度で面取りした面取り部を備え、
前記第２パネルが、前記既存パネルの面積内に収納される大きさで１対１の比率で、かつ、９０の約数となる寸法で正方形に形成され、その正方形のパネル正面における四周の角を所定角度で面取りした面取り部を備え、
前記面取り部は、パネル正面を基準面としたとき、その基準面に対して傾斜角度を８０度から１０度の範囲で形成したことを特徴とする木材パネル。
【発明の詳細な説明】
【技術分野】
【０００１】  本発明は、建築分野で使われる規格サイズの天井、側壁、床面の表面に装飾模様として使用できる木材パネルである。
【背景技術】
【０００２】  最近、室内のリフォームは、専門化に委託せずに趣味もかねて自分で行うことが多く見受けられる。例えば、一般的な都会のマンションで構築される壁、天井、床では、規格サイズとして、１８０ｃｍ×９０ｃｍの大きさで区画されているものが一般的であり、クロス張りする等の模様替えが知られている。しかし、このような建築分野で使用される壁面等の装飾模様は、専門家でなければ模様代えは出来ない構成のものが多かった。【０００３】  そこで、従来、誰でも簡単に素早く交換が出来る壁面装飾の模様替えができるものが提案されている（例えば、特許文献１参照）。この壁面装飾の模様替え方法は、コンピュータシステムを活用して紋織物の壁面パネルの各デザインが、上下又は左右或いは上下左右に連続合成することで大型デザインを構成し、その紋織物の壁面パネルが差替え交換できる建築仕様にすることで壁面装飾の模様替えが出来るようにするものである。
【特許文献１】  平成８年特許公開６０８３０号公報（全文）
【発明の開示】
【発明が解決しようとする課題】
【０００４】  しかし、従来の技術では、壁紙パネルの各デザインを行う場合に、紋織物デザインコンピュータシステムを活用しなければならず、専門的な知識が必要であった。
本発明は、前記した問題点に鑑み創案したものであり、誰でも簡単にリフォームすることができる木材パネルを提供することを課題とする。
【課題を解決するための手段】
【０００５】  本発明に係る木材パネルは、前記課題を解決するために以下のように構成した。
すなわち、壁面、天井面、床面でかつ１対２の比率となる既存パネル上に接着剤を介して設置される木材パネルにおいて、前記木材パネルは、前記既存パネルの面積内に収納される大きさで１対３の比率で、かつ、９０の約数となる寸法で長方形に形成され、その長方形のパネル正面における四周の角を所定角度で面取りした面取り部を備え、前記面取り部は、パネル正面を基準面としたとき、その基準面に対して傾斜角度を８０度から１０度の範囲で形成した木材パネルとして構成した。【０００６】  このように構成した木材パネルは、室内の天井あるいは壁面または床面に貼リ付けけると、一般的な基準となる天井、壁面あるいは床面の範囲に収まるようになるとともに、面取部が隣接するものとあわせてデザイン的なアクセントとなる。【０００７】  また、壁面、天井面、床面でかつ１対２の比率となる既存パネル上に接着剤を介して設置される木材パネルにおいて、前記木材パネルは、第１パネルと第２パネルとを備え、前記第１パネルが、前記既存パネルの面積内に収納される大きさで１対３の比率で、かつ、９０の約数となる寸法で長方形に形成され、その長方形のパネル正面における四周の角を所定角度で面取りした面取り部を備え、前記第２パネルが、前記既存パネルの面積内に収納される大きさで１対１の比率で、かつ、９０の約数となる寸法で正方形に形成され、その正方形のパネル正面における四周の角を所定角度で面取りした面取り部を備え、前記面取り部は、パネル正面を基準面としたとき、その基準面に対して傾斜角度を８０度から１０度の範囲で形成した木材パネルとした。【０００８】  このように構成した木材パネルは、長方形の第１パネルと、正方形の第２パネルとの組み合わせにおいて既存パネル内に設置でき、かつ、大きさの異なる組み合わせによりさらにデザインの広がりをもたせて設置できる。
【発明の効果】
【０００９】  本発明に係る木材パネルは、専門的な知識がなくても天井、壁面あるいは床面に簡単に貼り付けることができ、また、面取部が板面とは異なる線状のデザイン的なアクセントとなるため見た目にも優れている。
【発明を実施するための最良の形態】
【００１０】  以下、本発明を実施するための最良の形態について図面を参照して説明する。
図１は、室内の壁面に木材パネルを貼り付けた室内の状態を示す斜視図、図２（ａ）、（ｂ）は、木材パネルの第１パネルを示す斜視図および断面図、図３は、木材パネルの第２パネルを示す斜視図および断面図、図４は木材パネルの第１パネルを設置する状態を示す斜視図である。【００１１】  図１に示すように、木材パネル１は、合板あるいは板材からなり、第１パネル１Ａと、第２パネル１Ｂとを備えている。この木材パネル１は、その第１パネル１Ａが、例えば、９０ｃｍ×１８０である１対２の既存パネル１０における面積内の大きさに収納されるサイズに形成され、かつ、９０の約数となる寸法で長方形に形成されている。また、第２パネル１Ｂは、９０の約数となる寸法で正方形に形成されている。第１パネル１Ａおよび第２パネル１Ｂは、９０の約数となる縦横の寸法とすることで、既存パネル１０の範囲で隙間なく設置することができる。【００１２】  この第１パネル１Ａと第２パネルは、図２に示すように、正面側の四周の角部を正面を基準面としたとき傾斜角度θを８０度から１０度の範囲となるように面取りして面取り部２を有するように構成されている。この面取り部２の傾斜角度θは、１０度より小さいと正面板との境が不明確となり、また、８０度より大きいと斜面として認識することが不明確となる。なお、面取り部２は、傾斜角度θが２０度より７０度の範囲がより好ましく、さらに好ましい範囲として、３０度から６５度の範囲である。【００１３】  また、面取り部２は、板端部から１ｍｍ以上で３ｃｍ以下の範囲において形成されていることが好ましい。面取り部２は、１ｍｍより小さいとパネル同士を隣接したときに、あわせて２ｍｍ未満となりデザイン的なアクセントとして認識しにくい。また、３ｃｍを超えて大きくなると、パネル同士を隣接させたときに６ｃｍを超えることになり、平面部分との差が認識できにくくなるか、板厚を大きくとる必要があるため不都合である。【００１４】  木材パネル１は、図４に示すように、第２パネル１Ｂを使用することなく、第１パネル１Ａのみで既存パネル１０の面積内で設置することも可能となる。
この木材パネル１を使用して、例えば、室内の壁面に使用者の望むデザインを反映するように設置するには、既存パネル１０の面積内において隣接しながら並べて配置して自在に接着材により取り付けることができる。【００１５】  木材パネル１は、第１パネル１Ａのみ、あるいは、第１パネル１Ａと第２パネル１Ｂの両者を使用して既存パネル１０に設置する構成としても構わない。したがって、木材パネル１は、傾斜面２がアクセントになり簡単な作業でユニークなデザインをすることが可能となる。
なお、木材パネル１は、室内の壁面だけではなく、床面、天井などに設置することや、また、屋外の壁面等に設置するように構成しても構わない。
【図面の簡単な説明】
【００１６】
【図１】本発明に係る木材パネルを壁面に設置した室内の状態を示す斜視図である。
【図２】（ａ）、（ｂ）は、本発明に係る木材パネルの第１パネルの斜視図および断面図である。
【図３】（ａ）、（ｂ）は、本発明に係る木材パネルの第２パネルの斜視図および断面図である。
【図４】本発明に係る木材パネルの第１パネルを設置する状態を示す斜視図である。
【符号の説明】
【００１７】１      木材パネル
１Ａ    第１パネル
１Ｂ    第２パネル
２      面取り部
１０    既存パネル
【図１】
2007315153.tif 000003
【図２】
2007315153.tif 000004
【図３】
2007315153.tif 000005
【図４】
2007315153.tif 000006